(57)【要約】【課題】簡単な構造で、漏水を防ぐとともに、瓦下の空気を効率的に換気し温度上昇を防ぐことのでき、棟換気装置の適用できない屋根や部位にも容易に適用可能な換気瓦を提供する。【解決手段】換気孔２が穿設された換気瓦１Ａと、瓦下の空気を該換気孔２より排出するとともに、該換気孔２より侵入した雨水を下部瓦１Ｂ上に排出する受け部材１１とからなり、該受け部材１１が前記換気瓦１Ａの換気孔２の下方に設置されるとともに、該受け部材１１の前端部が下部瓦１Ｂの後端部付近に接していることを特徴とする換気構造である。【選択図】図１８
2008002222.tif 000002
【特許請求の範囲】
【請求項１】
換気孔が穿設された換気瓦と、瓦下の空気を該換気孔より排出するとともに、該換気孔より侵入した雨水を下部瓦上に排出する受け部材とからなり、該受け部材が前記換気瓦の換気孔の下方に設置され、該受け部材の前端部が下部瓦の後端部付近に接していることを特徴とする換気構造。
【請求項２】
換気瓦の換気孔が横長であり、換気瓦の前方に設けられていることを特徴とする請求項１に記載の換気構造。
【請求項３】
換気瓦の前端部下側に排水孔が設けられていることを特徴とする請求項１又は２に記載の換気構造。
【請求項４】
換気瓦の換気孔の少なくとも後端部側が瓦の下面に対して９０度より小さいことを特徴とする請求項１〜３のいずれか１項に記載の換気構造。
【請求項５】
受け部材が板状体からなる請求項１〜４のいずれか１項に記載の換気構造。
【請求項６】
受け部材が凹凸体の板状体からなる請求項１〜４のいずれか１項に記載の換気構造。
【請求項７】
受け部材が板状体の後端部及び／又は側端部に水返し部が立設されていることを特徴とする請求項５又は６に記載の換気構造。
【請求項８】
受け部材の側端部の水返し部にシール材が設けられているか、又は、該水返し部がシール材からなることを特徴とする請求項７に記載の換気構造。
【請求項９】
受け部材の板状体の外面にシール材が貼着されている請求項５〜８のいずれか１項に記載の換気構造。
【請求項１０】
受け部材が板状体の後端部から垂設された後壁面部を備えていることを特徴とする請求項５〜９のいずれか１項に記載の換気構造。
【請求項１１】
受け部材が板状体の前端部より内側寄りに垂設された前壁面部を備えていることを特徴とする請求項５〜１０のいずれか１項に記載の換気構造。
【請求項１２】
受け部材が野地板に固定されていることを特徴とする請求項１〜１１のいずれか１項に記載の換気構造。
【発明の詳細な説明】
【技術分野】
【０００１】
本発明は換気瓦を用いた換気構造に関し、更に詳しくは、簡単な構造で、漏水を防止するとともに、瓦下の空気を換気し温度上昇を防ぐことができ、棟換気装置の適用できない屋根にも簡単に適用できる換気瓦を用いた換気構造に関するものである。
【背景技術】
【０００２】
従来、この種の瓦下換気装置としては、瓦を流れ方向に対し略垂直に隆起させ、その隆起側面に換気孔を設けたり、ベンチレーターを設けたものが報告されている（例えば、非特許文献１参照）。
【０００３】
また、野地板の軒側上面に、軒側の面から棟側の面への貫通孔を隣接状態で複数有する通気軒部材を渡し、軒の瓦を、下部下側に通気軒部材を有する状態で固定し、軒の瓦から軒の瓦までを、軒から棟にわたり野地板から離れた空間部分を有する状態で固定し、棟の瓦の上面に、軒側の面から棟側の面への貫通孔を隣接状態で複数有する通気棟部材を渡し、通気棟部材の上側に、冠瓦を載せることを特徴とする瓦施工方法が提案されている（例えば、特許文献２参照）。
【非特許文献１】宮野秋彦著、「屋根の物理学」２０００年１１月２６日  株式会社日本屋根経済新聞社発行  ９７頁、４１頁
【特許文献１】特開２００５−１８８２５４号公報
【発明の開示】
【発明が解決しようとする課題】
【０００４】
しかしながら、前者の隆起側面に換気孔を設けたり、ベンチレーターを設ける換気装置は、台風等の少ないヨーロッパ等では特に問題がないものの、日本のように台風が多く横からの雨風の強い地域では、隆起側面に設けた換気孔から雨風が吹き込み、漏水するという問題がある。
【０００５】
一方、後者の通気軒部材は多数の通気孔を有し、軒瓦と野地板との間に配されるため、前者の隆起側面に換気孔を設けたのと略同様の状態となり、横からの雨風が吹き込み漏水するという問題を内包している。
【０００６】
また、軒側の通気軒部材と棟側の通気棟部材との間で通気させるため、通気路が非常に長く、従って、通気抵抗が大きくなるため、換気効率が十分とは云い難い。更に、構造が複雑であるため高コストとなり、また施工方法も煩雑とならざるを得ない。更にまた、この種の棟換気装置は、方形屋根、片流れ屋根、下屋部分等、屋根の形状や部位によっては取り付けられない場合がある。
【０００７】
本発明は、かかる実情に鑑み、上記従来技術の問題点を解決し、簡単な構造で、瓦下に雨水が入り込むのを防止し、しかも瓦下を効率的に換気することができ、棟換気装置が取り付けられない屋根にも容易に適用できる換気瓦及びこれを用いた換気構造を提供するものである。
【課題を解決するための手段】
【０００８】
上記課題を解決するための請求項１に係る本発明は、換気孔が穿設された換気瓦と、瓦下の空気を該換気孔より排出するとともに、該換気孔より侵入した雨水を下部瓦上に排出する受け部材とからなり、該受け部材が前記換気瓦の換気孔の下方に設置され、該受け部材の前端部が下部瓦の後端部付近に接していることを特徴とする換気構造を内容とする。
【０００９】
請求項２に係る発明は、換気瓦の換気孔が横長であり、換気瓦の前方に設けられていることを特徴とする請求項１に記載の換気構造を内容とする。
【００１０】
請求項３に係る発明は、換気瓦の前端部下側に排水孔が設けられていることを特徴とする請求項１又は２に記載の換気構造を内容とする。
【００１１】
請求項４に係る発明は、換気瓦の換気孔の少なくとも後端部側が瓦の下面に対して９０度より小さいことを特徴とする請求項１〜３のいずれか１項に記載の換気構造を内容とする。
【００１２】
請求項５に係る発明は、受け部材が板状体からなる請求項１〜４のいずれか１項に記載の換気構造を内容とする。
【００１３】
請求項６に係る発明は、受け部材が凹凸体の板状体からなる請求項１〜４のいずれか１項に記載の換気構造を内容とする。
【００１４】
請求項７に係る発明は、受け部材が板状体の後端部及び／又は側端部に水返し部が立設されていることを特徴とする請求項５又は６に記載の換気構造を内容とする。
【００１５】
請求項８に係る発明は、受け部材の側端部の水返し部にシール材が設けられているか、又は、該水返し部がシール材からなることを特徴とする請求項７に記載の換気構造を内容とする。
【００１６】
請求項９に係る発明は、受け部材の板状体の外面にシール材が貼着されている請求項５〜８のいずれか１項に記載の換気構造を内容とする。
【００１７】
請求項１０に係る発明は、受け部材が板状体の後端部から垂設された後壁面部を備えていることを特徴とする請求項５〜９のいずれか１項に記載の換気構造を内容とする。
【００１８】
請求項１１に係る発明は、受け部材が板状体の前端部より内側寄りに垂設された前壁面部を備えていることを特徴とする請求項５〜１０のいずれか１項に記載の換気構造を内容とする。
【００１９】
請求項１２に係る発明は、受け部材が野地板に固定されていることを特徴とする請求項１〜１１のいずれか１項に記載の換気構造を内容とする。
【発明の効果】
【００２０】
本発明の換気構造は、換気孔が穿設された換気瓦と、瓦下の空気を該換気孔より排出するとともに、該換気孔より侵入した雨水を下部瓦上に排出する受け部材とからなり、該受け部材が前記換気瓦の換気孔の下方に設置され、該受け部材の前端部が下部瓦の後端部付近に接しているため、瓦−野地板間（以下、瓦下と記す）の空間部の空気は換気瓦と受け部材との間に形成される通気路を通り上記換気孔から排出される。また、瓦下の空気の温度が上昇した場合は、この換気孔から排熱され、瓦下や小屋裏の温度上昇が抑制されるので、室内の居住性が向上するばかりでなく、冷房等に要するエネルギーを節約することができる。
また、本発明の換気構造によれば、換気や排熱は直近の換気瓦の換気孔からなされるので、従来のように、軒と棟との間の長い通気路で行われる排熱方式に比べて非常に短く、従って、その換気効率は極めて高いという特徴を有する。
更に、本発明の換気構造は、棟換気装置が適用できない屋根や部位にも容易に適用することができる。
【００２１】
一方、換気瓦の換気孔から侵入した雨水は受け部材に受け止められ、該受け部材上を前端部の方向に向かって流下し、該前端部より下部瓦の後端部付近に落下し、上下瓦の隙間から排出される。
【００２２】
請求項２に係る発明の換気構造は、横長の換気孔が換気瓦の前方に設けられているため、換気孔と受け部材の後端部との距離が相対的に長くなり、雨水が換気孔から受け部材内に侵入したとしても後端部から瓦下に侵入することが防止され、その結果、雨水は前端部側に流下し該前端部から下部の換気瓦上に落下し上下換気瓦の隙間から排出される。
【００２３】
請求項３に係る発明の換気構造は瓦の前端部下側に排水孔が設けられているため、上記の如く、下部の換気瓦上に落下した雨水がこの排水孔を通じて速やかに排出される。従って、下部の瓦上に落下した水が溜まり、これが逆流して瓦下に流れ込むようなトラブルが防止される。
【００２４】
請求項４に係る発明の換気構造は、換気孔の少なくとも後端部側が瓦の下面に対して９０度より小さくされており、従って、横からの雨風を受けても雨風は瓦の表面に沿って誘導されるので、換気孔内に入り込み難くなる。
【００２５】
請求項５に係る発明の換気構造は、受け部材が板状体からなり、極めて簡単な構造で安価な換気構造を提供することができる。
【００２６】
請求項６に係る発明の換気構造は、受け部材が凹凸状の板状体からなるので、雨水は凹部をスムースに流下するとともに、雨水の瓦下への侵入は凸部により堰止められる。
【００２７】
請求項７に係る発明の換気構造は、受け部材が板状体の後端部及び／又は側端部に水返し部が立設されているので、換気孔から侵入した雨水はこの水返し部により受け部材内に堰止められるとともに、堰止められた雨水は前端部側に流下し排出される。
【００２８】
請求項８に係る発明の換気構造は、受け部材の側端部の水返し部にシール材が設けられているので換気瓦の下面と気密的に接触させることができ、その結果、水返し部による雨水の堰止め効果が一層確実になる。
また、換気瓦や受け部材の寸法にバラツキがある場合でも、シール材の弾力性により受け部材を換気瓦又は下部瓦と接触させることができる。
【００２９】
請求項９に係る発明の換気構造は、受け部材の板状体の外面にシール材が貼着されているので、受け部材を下部瓦と気密的に接触させることができ、該受け部材と下部瓦との隙間からの漏水を一層確実に防止することができる。
【００３０】
請求項１０に係る発明の換気構造は、受け部材が板状体の後端部から垂設された後壁面部を備えているので、受け部材の野地板への設置が容易であるとともに、該後壁面部の制水性により、野地板の開口部を利用して換気する所謂野地板換気にも好適である。
【００３１】
請求項１１に係る発明の換気構造は、受け部材が板状体の前端部より内側寄りに垂設された前壁面部を備えているので、受け部材の設置が容易であるとともに、雨水がたとえ下部瓦の水返し部を越えた場合にも、この雨水は前壁面部により堰止められるので漏水が一層効果的に防止され、野地板換気にも好適である。
【００３２】
請求項１２に係る発明の換気構造は、受け部材が野地板に固定されているので経時により、又は地震等のように外力が加わった場合でも変形しにくい安定した換気構造が得られ、長期間に亘り安定した換気性能が得られる。
【発明を実施するための最良の形態】
【００３３】
本発明の換気構造は、瓦に換気孔が穿設された換気瓦と、瓦下の空気を該換気孔より排出するとともに、該換気孔より侵入した雨水を下部瓦上に排出する受け部材とからなり、該受け部材が前記換気瓦の換気孔の下方に設置され、該受け部材の前端部が下部瓦の後端部付近に接していることを特徴とする。
尚、本発明においては、屋根の流れ方向（即ち、下方）を前端部と記載し、反対の方向（即ち、上方）を後端部と記載する。
【００３４】
本発明における換気瓦に用いられる瓦の種類は特に制限されず、例えば、平板瓦、和瓦、波形瓦、Ｓ形瓦等の屋根材が挙げられ、また素材も特に制限されず、例えば、粘土瓦、陶器瓦、プレスセメント瓦、コンクリート瓦、金属製瓦等が挙げられる。
【００３５】
本発明における換気瓦は、上記瓦に換気孔が穿設される。換気孔は瓦の表面から裏面に貫通する孔であり、その形状は特に制限されず、例えば、縦、横、斜の長孔、円形、楕円形、矩形、多角形等の孔が挙げられる。限られた面積内で換気孔の面積を大きくできる点で長孔からなる換気孔が望ましく、特に横長の換気孔が好ましい。これらの換気孔は所望の換気能力に応じて１個又は複数個設けられる。
【００３６】
換気孔のサイズは、昆虫やコウモリ等の侵入を防ぐとともに、雨水が侵入しにくいという点からは長孔の幅、円形の直径、矩形の１辺はそれぞれ１０ｍｍ程度以下が好ましい。一方、余り小さくなると換気能力が低下するので、下限は３ｍｍ程度が適当である。また、換気孔幅（直径、１辺）Ｗと深さ（瓦の厚み）Ｄの比（Ｄ／Ｗ）を１対１以上とするか、又は、通常、風雨の直撃を受ける換気孔の後端部側と瓦の下面との角度αを９０度より小さくすると、通常、最大の屋根勾配である約４５度（約１０．０寸）に葺設しても雨風が入りにくくなるので好ましい。好ましくは、角度αは６０度以下である。また、角度αは余り小さくなると、換気孔の後端部側のみを傾斜させる場合は、換気孔の開口部が大きくなるので、下限は３０度程度が適当である。
【００３７】
換気孔の位置は瓦の前方に設けるのが好ましく、より好ましくは、瓦の中央よりも前方寄りに設けられる。更に好ましくは、瓦の前端部から４０％程度上方までであって、且つ、中央部寄りの約８０％の範囲内に設けられる。
これにより、換気孔と受け部材の後端部との距離が相対的に長くなり、雨水が換気孔から受け部材内に侵入した場合、後端部から瓦下に入り込むことが防止され、雨水は前端部側に流下して前端部から下部の瓦上に落下し、上下瓦の隙間から排出される。
【００３８】
上記の如く、雨水は上下瓦の隙間から排出されるが、雨水の量が多い場合や、上下瓦の隙間がゴミ等で詰まった場合には十分に排出できない場合がある。従って、換気瓦の前端部下側に排水孔を設けるのが好ましい。排水孔のサイズは特に制限されず適宜決定すればよいが、通常、幅５〜３０ｍｍ程度、高さ２〜４ｍｍ程度が適当である。排水孔は１個又は必要に応じ複数個設けられる。
【００３９】
本発明における受け部材は、換気瓦の換気孔から侵入してきた雨水を受け止め、後端部から瓦下内に漏出させることなく前端部側に流下させ、該前端部より下部瓦上に排出するとともに、換気瓦の裏面との間に通気路を形成し、瓦下の空気を後端部より通気路に導き、該通気路内を通過させ換気孔より外部へ排出させる役割を果たすものである。
【００４０】
このような受け部材としては、最も簡単なものとして板状体からなるものが挙げられる。この場合、換気瓦の換気孔から侵入した雨水を瓦下に漏水させないために十分な幅及び長さ（奥行き：屋根の流れ方向）とする必要がある。
例えば、幅は換気孔の端部よりも１０〜３０ｍｍ程度大きく、また長さは雨風の強さ、上記した換気孔のサイズ、形状等を勘案して決定されるが、通常、換気孔の後端部よりも５０ｍｍ程度以上大きく設計される。
この場合、受け部材を凹凸状の板状体から形成することによって、幅を小さくすることができる。即ち、換気孔から侵入した雨水は凸状部により堰止められるので、換気孔の端部より僅かに（通常、５〜１０ｍｍ程度）大きくするだけでよい。
【００４１】
また、受け部材の後端部側に水返し部を立設することによって、長さを小さくすることができる。即ち、換気孔から侵入した雨水は受け部材上を後端部側に逆流するが、この水返し部により強制的にはね返され前端部側に向かって流下する。従って、水返し部によらないで、自重によりＵターンし前端部側に向かう場合に比べると、かなり小さくすることができ、風雨の強さ、換気孔のサイズ、形状等にもよるが、一般に、換気孔の後端部よりも３０ｍｍ程度大きくするだけでよい。また、水返し部の高さは、通常、５〜１０ｍｍ程度でよい。
【００４２】
受け部材がフラットな板状体からなる場合は、後端部及び／又は側端部に水返し部を設けると、上記した如く、長さ及び／又は幅を小さくすることができる。この場合、必要に応じ、側端部の水返し部にシール材が設けられる。また、測端部の水返し部自体をシール材で構成してもよい。このシール材は、受け部材を設置する場合に、換気瓦の裏面と気密的に密着させ、側端部からの漏出を一層確実に防止するためのものである。また、このシール材を設けることにより、換気瓦や受け部材の寸法にバラツキがある場合でも、シール材の弾力性により受け部材を換気瓦又は下部瓦と接触させることができる。尚、後端部の水返し部にもシール材を設けると、後端部側の瓦下の空気の入り口を閉鎖することになり、前端部側だけの入り口となって換気性能を低下させるので、後端部の水返し部にはシール材を設けないことが望ましい。
また、受け部材の板状体の外面にシール材を設けることができる。このようにすれば、受け部材を下部瓦と気密的に接触させることができ、該受け部材と下部瓦との隙間からの漏水を一層確実に防止することができる。
このようなシール材としては、ＥＰＤＭシーラー、軟質ウレタンフォーム、ポリエチレンフォーム、ブチルゴムシート等が例示される。
【００４３】
受け部材には、必要に応じ、板状体の後端部から垂設された後面部を設けることができる。このような受け部材は、後壁面部を野地板上（の下葺き材）に取り付けることにより、長期安定的に換気性能を発揮させることができる。また、野地板（及びその上の下葺き材）に開口部を設けて換気する野地板換気にも好適に適用することができる。即ち、野地板（及び下葺き材）に設けた開口部の後端部側に上記後壁面部を気密的に取り付けることにより、下葺き材上を流下してくる雨水を該後壁面部により制御して該開口部の外側に迂回させるので、該開口部からの漏出を防ぐことができる。尚、下葺き材としては、アスファルトルーフィング、ゴムアスルーフィング等公知のものでよい。
【００４４】
更に、受け部材は、必要に応じ、板状体の前端部より内側寄りに、前壁面部を垂設することもできる。この前壁面部は下部瓦の後端部側又は野地板（上の下葺き材）に当接させることにより、受け部材を安定的に設置することができる。また、野地板換気に適用した場合、上記した後壁面部とともに万一侵入した雨水を堰止め、該開口部への漏水を防ぐ役割も果たす。
上記後壁面部や前壁面部には、必要に応じ、ビス孔を設けた固定部を設けることができる。
【００４５】
受け部材の材質は特に限定されず、雨水に侵食されない素材であれば特に制限されないが、造形性（成形性）、耐久性の面からプラスチック製、金属製のものが好ましい。
本発明に用いられるプラスチックとしては特に制限されないが、ポリエチレン、ポリプロピレン等のポリオレフィン樹脂、ポリスチロール樹脂、塩化ビニル樹脂、ポリアミド樹脂、ポリエステル樹脂、ＡＢＳ樹脂、ＡＳ樹脂等が挙げられる。また本発明に用いられる金属としては特に制限されないが、鉄、銅、アルミ、ステンレス等が挙げられる。
【００４６】
以上のように、受け部材は換気瓦の換気孔の下方に設置され、該受け部材の前端部が下部瓦の後端部付近に接するように設置される。瓦が後端部側に水返し部を有する場合は、下部瓦の水返し部に接触するように葺設するのが好ましい。受け部材がその板状体の外面にシール材が貼着されている場合は、該シール材により下部瓦の後端部付近と接触し、瓦下への漏水防止効果は一層確実なものとなる。従って、シール材を貼着していない受け部材の場合は、葺設の際に、受け部材と下部瓦の後端部付近との間にシール材を介装するのが望ましい。このようなシール材としては、前記したシール材が好適に用いられる。
また、下部瓦は通常の瓦でもよいし、また、本発明の換気構造の瓦のいずれであってもよい。
【００４７】
本発明の換気構造によれば、換気瓦の換気孔より侵入した雨水を換気孔の下方に設置した受け部材により受け止め、自重により、又は、水返し部により強制的に前端部側に流下させ、該前端部より下部の瓦上に落下させ、上下瓦の隙間又は換気瓦の前端部下側に設けた排水孔から外部に排出される。
【実施例】
【００４８】
以下、本発明を参考例及び実施例に基づいて更に詳細に説明するが、本発明はこれら参考例及び実施例のみに限定されないことは云うまでもない。
尚、参考例１〜４は本発明に使用される換気瓦、参考例５〜１５は本発明に使用される受け部材を示し、実施例１〜４は参考例で示した換気瓦と受け部材とを用いた本発明の換気構造を示す。
【００４９】
参考例１
図１〜図３は本発明に用いられる換気瓦の参考例を示すもので、図１は上面図、図２はＸ−Ｘ要部断面図、図３は正面図である。
【００５０】
これらの図に示す如く、本参考例の換気瓦１は、前端部１ａと後端部１ｂとを備え、一方の側にはウオーターチャネル上側重合部１ｃ、他方の側にはウオーターチャネル下側重合部１ｄを備え、後端部１ｂ付近には水返し部１ｅを備えている。
【００５１】
換気瓦１の前端部寄りには、表側から裏側に貫通する横長の換気孔２が穿設され（図では２個）、前端部の下側には排水孔３が設けられている（図では２個）。
【００５２】
参考例２
本参考例の換気瓦１は、図４に示す如く、縦長の換気孔（図では３個）を穿設した他は参考例１と同様である。
【００５３】
参考例３
本参考例の換気瓦１は、図５に示す如く、円形の換気孔（図では１５個）を穿設した他は参考例１と同様である。
【００５４】
参考例４
図６は、上記参考例１〜３において、換気孔２の形状の例を示し、更に、換気孔２の形状と雨風の侵入との関係を概念的に示したものである。
【００５５】
図では、屋根勾配を通常、最も勾配が大きく漏水し易いとされる約４５度（約１０．０寸）の急勾配で葺設とした場合を想定したものである。
【００５６】
ａ１は、換気孔２が長孔の場合の幅、円形の場合の直径と深さ（換気瓦の厚み）との比を１／１とし、換気孔２の換気瓦１の下面に対する角度αを約９０度とした場合で、この換気瓦１を急勾配で葺設した場合は、ａ２示すように、雨水の一部が換気孔２内に入る場合があるが、大半は換気瓦１の表面に沿って誘導される。
【００５７】
ｂ１は、換気孔２の換気瓦１の下面に対する角度αを約４５度とした例で、この換気瓦１を急勾配で葺設した場合は、ｂ２に示す如く、、雨水は換気瓦１の表面に沿って誘導され、実質的に換気孔２内に入り込まない。
【００５８】
ｃ１は、換気孔２の後端部例のみの角度αを約４５度とした例で、この換気瓦１を急勾配で葺設した場合は、ｃ２に示す如く、雨水は換気瓦１の表面に沿って誘導され、実質的に換気孔２内に入り込まない。
【００５９】
上記は屋根勾配が急勾配の約４５度（約１０．０寸）という厳しい場合であり、通常はこれよりも緩やかな約２４度（約４．５寸）程度であるから、雨水の換気孔からの侵入は実質的に防止される。
【００６０】
参考例５
図７は、受け部材を示す斜視図で、本参考例の受け部材１１は、片面の断面が波形状の板状体１２ａからなり、その裏面のフラットな面にシール材１３が貼着されている。尚、シール材１３は省略してもよい（以下の参考例でも同様）。
【００６１】
参考例６
本参考例の受け部材１１は、図８に示す如く、片面断面が凹凸状の板状体１２ｂからなり、その裏面のフラットな面にシール材１３が貼着されている。
【００６２】
参考例７
本参考例の受け部材１１は、図９に示す如く、参考例５の受け部材１１（図７）の後端部に波高部と略同じ高さの水返し部１５が設けられている。
【００６３】
参考例８
本参考例の受け部材１１は、図１０に示す如く、参考例６の受け部材１１（図８）の後端部に凸状部と略同じ高さの水返し部１５が設けられている。
【００６４】
参考例９
本参考例の受け部材１１は、図１１に示す如く、フラットな板状体１２ｃの側端部に水返し部１４が立設され、その裏面にシール材１３が貼着されている。
【００６５】
参考例１０
本参考例の受け部材１１は、図１２に示す如く、参考例９の受け部材１１（図１１）の後端部にも水返し部１５が立設されている。
【００６６】
参考例１１
本参考例の受け部材１１は、図１３に示す如く、参考例１０の受け部材１１（図１２）の後端部の水返し部１４にシール材１６が貼着されている。
【００６７】
参考例１２
本参考例の受け部材１１は、図１４に示す如く、フラットな板状体１２ｃの側端部に水返し部１４が立設されるとともに、該板状体１２ｃの後端部に後壁面部１７が垂設され、更に該後面部１７の下端からビス孔１８を有する固定部１９が延設されている。また、板状体１２ｃの裏面にはシール材１３が貼着されている。
【００６８】
参考例１３
本参考例の受け部材１１は、図１５に示す如く、参考例１２に示した受け部材１１（図１４）の後壁面部１７に水返し部１５が設けられている。
【００６９】
参考例１４
本参考例の受け部材１１は、図１６に示す如く、参考例１３の受け部材１１（図１５）の側端部の水返し部１４にシール材１６が貼着されている。
【００７０】
参考例１５
本参考例の受け部材１１は、図１７に示す如く、参考例１４の受け部材１１（図１６）のフラットな板状体１２ｃの裏面に前壁面部２０が垂設されている。
【００７１】
実施例１
本実施例の換気構造は、図１８に示すように、参考例１で示した換気瓦（図１〜３）と参考例６で示した受け部材（図８）を用いた換気構造の例を示す。
同図において、上部換気瓦１Ａの換気孔２の下方に受け部材１１が設置され、該受け部材１１の後端部はビス２１により野地板２２及び下葺き材２３に取り付けられ、該受け部材１１の前端部は裏面のシール材１３を介して下部瓦１Ｂの後端部付近、即ち、水返し部２５と接触するように葺設されている。尚、図中、２４は瓦桟である。
【００７２】
かくして、瓦下の空気は、実線で矢示するように、受け部材１１の後端部から換気瓦１Ａの裏面と受け部材１１とで形成される通気路２６内に入り、換気瓦１Ａの換気孔２より外部に排出される。
【００７３】
一方、雨水は波線で矢示するように、換気瓦１Ａの換気孔２から受け部材１１内に侵入し、後端部の方に逆流しようとするが、自重により途中でＵターンして反対の前端部側に向かって流下し、該前端部より排出され、下部瓦１Ｂの後端部付近（図では水返し部２５）より前端部側に排出される。この排出された雨水は、上部換気瓦１Ａの排水孔３より下部瓦１Ｂ上に排出される。
尚、念のために説明すると、外部の空気は換気孔２より受け部材１１の通気路２６内に入り、更に後端部から瓦下に入り、温度の上昇した瓦下の空気を冷やし、更には、瓦下の空気を伴って換気孔２から外部に排出し換気が行われることは云うまでもない。
【００７４】
実施例２
本実施例の換気構造は、図１９に示すように、参考例１２で示した受け部材１１（図１４）を用いた他は実施例１の換気構造と同様である。
本実施例の換気構造は、受け部材１１の側端部の水返し部１４が上部換気瓦１Ａの裏面と接触するように、固定部１９をビス２１により下葺き材２３（及び野地板２２）に取り付けられている。換気及び雨水の排出については実施例１の場合と同様であるが、水返し部１４が換気瓦１Ａの裏面に接しているので、換気孔２より侵入した雨水はこの水返し部１４により堰止められ、瓦下への漏水は一層確実に防止される。
【００７５】
実施例３
本実施例の換気構造は、図２０に示すように、参考例１３で示した受け部材１１（図１５）を用い、野地板２２、下葺き材２３に開口部２７を設けた野地板換気に適用した他は実施例１の換気構造と同様である。
本実施例の換気構造は、受け部材１１が側端部の水返し部１４とともに、後端部にも水返し部１５を備えているので、上記換気瓦１Ａの換気孔２から侵入した雨水は逆流しようとするが、波線で示すように、該水返し部１５により堰止められ反対側の前端部側に向かって流下し、前端部より排出され、更に上部換気瓦１Ａの排水孔３より下部瓦１Ｂ上に排出される。
【００７６】
従って、水返し部１４、１５により雨水は堰止められるので瓦下への漏水は一層確実に防止され、野地板２２、下葺き材２３に開口部２７を設けた野地板換気にも好適に適用される。
また、水返し部を備えていない受け部材１１を用い、雨水を自重によりＵターンさせる実施例１、２の場合と比べ、受け部材１１の長さ（奥行き）を小さくすることが可能で、コンパルトな換気構造とすることができる。
【００７７】
実施例４
本実施例の換気構造は、図２１に示すように、参考例１５で示した受け部材１１（図１７）を用いた他は実施例３の換気構造と同様である。
本実施例の換気構造は、受け部材１１が側端部の水返し部１５上のシール材１６を介して上部換気瓦１Ａの裏面と気密的に接触しているため、換気孔２から侵入した雨水は確実に受け部材１１で受け止められるので漏水が一層確実に防止される。また、前壁面部２０を備えているので野地板２２（及び下葺き材２３）上に設置し易く、万一雨水が下部瓦１Ｂの水返し部２５を乗り越えたとしても前壁面部２０により堰止められるので、開口部２７に逆流することが防止される。
【００７８】
試験例
実施例２の換気構造を構築し、耐風雨漏水試験を実施した。
試験に用いた換気瓦及び換気構造の詳細は図２２に示すとおりである。また、換気孔の幅Ｗと深さ（瓦の厚み）Ｄとの比（Ｄ／Ｗ）は約１．０（９ｍｍ／９ｍｍ）、換気孔の換気瓦の下面に対する角度αは９０度とした。また、換気瓦の裏面と受け部材の板状体までの距離は２０ｍｍとした。
雨量は一定（１５０ｍｍ／ｍｉｎ）とし、風速を２０〜４０ｍ／ｓの範囲で変化させ、屋根勾配２．５寸〜１０．０寸（１４度〜４５度）で葺設した場合の漏水（受け部材からの瓦下への漏水）の有無を観察した。結果を表１に示す。尚、表中、○は「漏水なし」、×は「漏水あり」を示す。
【００７９】
【表１】
2008002222.tif 000003
【００８０】
上記表１の結果から、通常の屋根勾配である４．５寸（２４度）では風速４０ｍでも漏水はなく、また、急勾配の６．０寸（３１度）でも風速３５ｍまで耐え、更に、相当急勾配の８．０寸（３９度）でも風速３０ｍまで耐え、最も急勾配の１０．０寸（４５度）でも風速２５ｍまで耐えることがわかる。
この耐風雨漏水性能は、換気孔の幅（９ｍｍ）を小さくしたり、換気孔の深さ（瓦の厚さ）（９ｍｍ）を大きくしたり、換気孔の角度α（９０度）を小さくしたり、受け部材の長さ（１８０ｍｍ）を長くしたりすること等により、性能を上げることができ、１０．０寸の急勾配でも風速４０ｍまで耐えるようにすることも可能である。
【００８１】
以上の実施例、試験例は代表的な平板瓦について説明したが、和瓦、波形瓦、Ｓ字瓦等他の種類の瓦についても同様に適用できることは云うまでもない。波形瓦については、例えば、受け部材の固定部を波形瓦の波形と同様の形状とすることにより容易に適用することができる。Ｓ字瓦について同じである。
【産業上の利用可能性】
【００８２】
叙上のとおり、本発明の換気瓦は極めて簡単な構造で、雨水の侵入を防止し、且つ換気性能に優れた換気構造を安価に提供することができ、台風が多く、高温多湿の我国において、快適な居住性を約束するものである。
また、本発明の換気瓦によれぱ、エアコンや除湿機等の稼動を減少させることができるので、これらに要するエネルギー消費量の節減が期待できる。
更に、本発明の換気瓦は棟換気装置の取り付けが困難又は不可能な方形屋根、片流れ屋根、下屋部分等にも適用でき、その有用性は頗る大である。
【図面の簡単な説明】
【００８３】
【図１】換気瓦の一例を示す上面図である。
【図２】図１におけるＸ−Ｘ要部断面図である。
【図３】図１の正面図である。
【図４】換気瓦の他の例を示す上面図である。
【図５】換気瓦の更に他の例を示す要部断面図である。
【図６】換気瓦の更に別の例（換気孔の形状）を示す要部断面図である。
【図７】受け部材の一例を示す斜視図である。
【図８】受け部材の他の例を示す斜視図である。
【図９】受け部材の他の例を示す斜視図である。
【図１０】受け部材の他の例を示す斜視図である。
【図１１】受け部材の他の例を示す斜視図である。
【図１２】受け部材の他の例を示す斜視図である。
【図１３】受け部材の他の例を示す斜視図である。
【図１４】受け部材の他の例を示す斜視図である。
【図１５】受け部材の他の例を示す斜視図である。
【図１６】受け部材の他の例を示す斜視図である。
【図１７】受け部材の他の例を示す斜視図である。
【図１８】本発明の換気構造の実施例を示す断面図である。
【図１９】本発明の換気構造の他の実施例を示す断面図である。
【図２０】本発明の換気構造の他の実施例を示す断面図である。
【図２１】本発明の換気構造の他の実施例を示す断面図である。
【図２２】試験例に用いた換気瓦の詳細を示す図である。
【符号の説明】
【００８４】
１  換気瓦
１Ａ  上部換気瓦
１Ｂ  下部瓦
２  換気孔
３  排水孔
１１  受け部材
１２ａ  板状体（波形状）
１２ｂ  板状体（凹凸状）
１２ｃ  板状体（フラット）
１３  シール材
１４  水返し部
１５  水返し部
１６  シール材
１７  後壁面部
１８  ビス孔
１９  固定部
２０  前壁面部
２１  ビス
２２  野地板
２３  下葺き材
２４  瓦桟
２５  水返し部
２６  通気路
２７  開口部
【図１】
2008002222.tif 000004
【図２】
2008002222.tif 000005
【図３】
2008002222.tif 000006
【図４】
2008002222.tif 000007
【図５】
2008002222.tif 000008
【図６】
2008002222.tif 000009
【図７】
2008002222.tif 000010
【図８】
2008002222.tif 000011
【図９】
2008002222.tif 000012
【図１０】
2008002222.tif 000013
【図１１】
2008002222.tif 000014
【図１２】
2008002222.tif 000015
【図１３】
2008002222.tif 000016
【図１４】
2008002222.tif 000017
【図１５】
2008002222.tif 000018
【図１６】
2008002222.tif 000019
【図１７】
2008002222.tif 000020
【図１８】
2008002222.tif 000021
【図１９】
2008002222.tif 000022
【図２０】
2008002222.tif 000023
【図２１】
2008002222.tif 000024
【図２２】
2008002222.tif 000025